(57)【要約】【課題】  高圧ケーブルの存在により発生する輻射ノイズや電圧降下を充分に除去させる装置を提供する。【解決手段】  光源装置の放電ランプ支持装置は、放電ランプ７０の陽極部７１が支持され且つ電気的に導通される第１ヒートシンク６１と、放電ランプ７０の陰極部７２が支持され且つ電気的に導通される第２ヒートシンク６２とを備える。第１、第２ヒートシンク６１、６２を所定間隔で固着する、絶縁材料からなる支持基板６５を備える。支持基板６５を貫通し、第１、第２ヒートシンク６１、６２のそれぞれと電気的導通及び固着される第１、第２コネクタ６３、６４を備える。第１コネクタ６３が固着される陽極部５３、及び第２コネクタ６４が固着される陰極部５４を有するイグナイタ５０を備える。イグナイタ５０の陽極部５３と第１コネクタ６３、及びイグナイタ５０の陰極部５４と第２コネクタ６４は、着脱自在に固着される。【選択図】        図２
2005235440.tif 000002
【特許請求の範囲】
【請求項１】
放電ランプの陽極部が支持され且つ電気的に導通される第１ヒートシンク、及び前記放電ランプのイグナイタの陽極部と電気的導通及び固着される第１コネクタと、
前記放電ランプの陰極部が支持され且つ電気的に導通される第２ヒートシンク、及び前記イグナイタの陰極部と電気的導通及び固着される第２コネクタとを備えたことを特徴とする放電ランプのヒートシンクとイグナイタを接続するコネクタ装置。
【請求項２】
前記イグナイタの陽極部と前記第１コネクタ、及び前記イグナイタの陰極部と前記第２コネクタは、着脱自在に固着されることを特徴とする請求項１に記載のコネクタ装置。
【請求項３】
放電ランプの陽極部が支持され且つ電気的に導通される第１ヒートシンクと、
前記放電ランプの陰極部が支持され且つ電気的に導通される第２ヒートシンクと、
前記第１、第２ヒートシンクを囲み所定間隔で固着する、絶縁材料からなる支持基板と、
前記支持基板を貫通し、前記第１、第２ヒートシンクのそれぞれと電気的導通及び固着される第１、第２コネクタと、
前記第１コネクタが固着される陽極部、及び前記第２コネクタが固着される陰極部を有するイグナイタとを備えたことを特徴とする光源装置の放電ランプ支持装置。
【請求項４】
前記イグナイタの陽極部と前記第１コネクタ、及び前記イグナイタの陰極部と前記第２コネクタは、着脱自在に固着されることを特徴とする請求項３に記載のコネクタ装置。
【請求項５】
前記第１、第２ヒートシンクは、それぞれ、前記第１、第２コネクタが固着され、かつ前記支持基板に固着される第１、第２固定部と、前記放電ランプを支持し、前記支持基板から取り外しが可能で、かつ前記第１、第２固定部と電気的に導通される第１、第２取り外し部とを備えたことを特徴とする請求項３に記載の放電ランプ支持装置。
【請求項６】
前記第１、第２ヒートシンクは、前記放電ランプを水平に支持し、前記イグナイタは、前記支持基板の上面に載置されることを特徴とする請求項３に記載の放電ランプ支持装置。
【発明の詳細な説明】
【技術分野】
【０００１】
本発明は、放電ランプの支持装置に関し、特に、イグナイタとの導通を高圧ケーブルを介さずに行う放電ランプ支持装置に関する。
【背景技術】
【０００２】
従来、キセノンランプをはじめとする放電ランプなどの光照射装置は、高輝度を必要とする光源装置などで使われている。
【０００３】
放電ランプは、発光管部内に、陽極と陰極が数ｍｍから十数ｍｍの距離を持ち、対向して配置される電極間距離が比較的短いタイプのランプである。この電極間でアーク放電を起こすと、アーク柱と呼ばれる放電部分から強い発光を生じる。
【０００４】
このアーク放電を起こすために、ランプ電源からの高電圧をイグナイタに供給し放電ランプを始動するための高電圧パルスを発生させる。高電圧パルスによって、所定の電圧が陰極、陽極に印加されると、陰極と陽極の間に絶縁破壊が生じ、これにより電流の流れる道筋が形成され、この道筋にそって放電しランプが点灯する。
【０００５】
放電ランプは、放電ランプの陽極部、陰極部と電気的に導通し、放電ランプを支持し、かつ点灯により発生する熱を放射するヒートシンクと、ヒートシンクの周りを囲む絶縁材料からなる支持基板から構成されるランプハウスによって支持される。イグナイタと、ランプハウス内にあるヒートシンクの間は、高圧ケーブルで電気的に導通される。この高圧ケーブルは、高電圧パルスが通ることにより、輻射ノイズや電圧降下を発生させていた。
【０００６】
特許文献１の装置は、高圧ケーブルにフェライトコアを配置することにより、輻射ノイズを低減することを開示している。
【特許文献１】特開平９−２５３０４４号公報
【発明の開示】
【発明が解決しようとする課題】
【０００７】
しかし、特許文献１は、高圧ケーブルが存在しており、この高圧ケーブルから発生する輻射ノイズや電圧降下の除去が充分ではない。
【０００８】
したがって本発明の目的は、高圧ケーブルの存在により発生する輻射ノイズや電圧降下を充分に除去させる装置を提供することである。
【課題を解決するための手段】
【０００９】
本発明に係る、放電ランプのヒートシンクとイグナイタを接続するコネクタ装置は、放電ランプの陽極部が支持され且つ電気的に導通される第１ヒートシンク、及び放電ランプのイグナイタの陽極部と電気的導通及び固着される第１コネクタと、放電ランプの陰極部が支持され且つ電気的に導通される第２ヒートシンク、及びイグナイタの陰極部と電気的導通及び固着される第２コネクタとを備える。これにより、イグナイタと放電ランプの間を導電させる高圧ケーブルを排除することができ、高圧ケーブルの存在による輻射ノイズや電圧降下を除去させることができる。
【００１０】
好ましくは、イグナイタの陽極部と第１コネクタ、及びイグナイタの陰極部と第２コネクタは、着脱自在に固着される。これにより、イグナイタと、コネクタ装置の着脱が容易になる。
【００１１】
また、光源装置の放電ランプ支持装置は、放電ランプの陽極部が支持及び電気的に導通される第１ヒートシンクと、放電ランプの陰極部が支持及び電気的に導通される第２ヒートシンクと、第１、第２ヒートシンクを囲み所定間隔で固着する、絶縁材料からなる支持基板と、支持基板を貫通し、第１、第２ヒートシンクのそれぞれと電気的導通及び固着される第１、第２コネクタと、第１コネクタが固着される陽極部、及び第２コネクタが固着される陰極部を有するイグナイタとを備える。これにより、イグナイタと放電ランプの間を導電させる高圧ケーブルを排除することができ、高圧ケーブルの存在による輻射ノイズや電圧降下を除去させることができる。さらに、支持基板とイグナイタが第１、第２コネクタを介して一体化されることにより、光源装置を有するシステム全体の底面積を減らすことができる。
【００１２】
好ましくは、イグナイタの陽極部と第１コネクタ、及びイグナイタの陰極部と第２コネクタは、着脱自在に固着される。これにより、イグナイタと、コネクタ装置の着脱が容易になる。
【００１３】
また、好ましくは、第１、第２ヒートシンクは、それぞれ、第１、第２コネクタが固着され、かつ支持基板に固着される第１、第２固定部と、放電ランプを支持し、支持基板から取り外しが可能で、かつ第１、第２固定部と電気的に導通される第１、第２取り外し部とを備える。これにより、放電ランプの交換時が容易になる。
【００１４】
また、好ましくは、第１、第２ヒートシンクは、放電ランプを水平に支持し、イグナイタは、支持基板の上面に載置される。これにより、イグナイタの設置が容易になる。
【発明の効果】
【００１５】
以上のように本発明によれば、高圧ケーブルの存在により発生する輻射ノイズや電圧降下を充分に除去させる装置を提供することができる。
【発明を実施するための最良の形態】
【００１６】
以下、本発明の実施形態について、図を用いて説明する。図１は、本実施形態の内視鏡装置の構成図である。図２は、図１におけるII−II線の縦断面図で、イグナイタ５０の内部の回路構成も示す。図３は、図２におけるIII−III線のスコープ１０側からみた縦断面図である。図４は、図２におけるIV−IV線の上面からみた横断面図である。図４では、断面上には存在しないが、その上方に位置されるイグナイタ５０、高圧ケーブル５５、５６を二点鎖線表示している。また、図２〜図４では、放電ランプ７０、第１、第２コネクタ６３、６４は断面表示にしていない。
【００１７】
内視鏡装置は、スコープ１０、プロセッサ３０、モニタ１００から構成される。スコープ１０は、プロセッサ３０の光源装置から供給された光を被写体に当て、これを撮像する。撮像された電気信号は、プロセッサ３０の画像処理装置によってモニタ１００で観察可能な画像信号に変換され、モニタ１００が画像信号を表示する。使用者は、スコープ１０の先端部（図示しない）を患者の体腔内に挿入し、モニタ１００の表示画像を見て、内視鏡装置を操作する。
【００１８】
プロセッサ３０の画像処理装置は、システム電源４０ｂ、後処理回路８０ａ、信号処理回路８０ｂ、及びパネル制御基板８０ｃから構成される。スコープ１０で撮像された電気信号は、信号処理回路８０ｂで、画像信号に変換され、後処理回路８０ａで、Ｖｉｄｅｏコンポジット信号、Ｙ／Ｃ分離信号などに変換してモニタ１００に出力される。
【００１９】
パネル制御基板８０ｃは、画像処理に関する画質調整などの設定スイッチを有し、使用者がこれを操作する。システム電源４０ｂは、ＡＣ電源から供給された電圧を画像処理に関する各部に印加する。パネル制御基板８０ｃは、後述する光源装置の操作に関するスイッチも有する。
【００２０】
プロセッサ３０の光源装置は、ランプ電源４０ａ、イグナイタ５０、ランプハウス６０、放電ランプ７０、パネル制御基板８０ｃから構成される。使用者によるパネル制御基板８０ｃの操作により、放電ランプ７０の点灯が指示されると、ランプ電源４０ａは、ＡＣ電源から供給された電圧をイグナイタ５０に印加する。イグナイタ５０は、印加された電圧からテスラコイル５０ａ、放電ギャップ５０ｂ、高圧パルス発生回路５０ｃ、コンデンサ５０ｄを介して高電圧パルスを発生させる。発生された高電圧パルスは、ランプハウス６０内にある第１、第２コネクタ６３、６４、第１、第２ヒートシンク６１、６２を介して、放電ランプ７０の陽極部７１、陰極部７２に印加される。所定の高電圧パルスが印加されると、陽極部７１、陰極部７２の間に絶縁破壊が生じ、アーク放電が開始される。
【００２１】
アーク放電により生じた光は、四方八方に発散する。発散した光は、反射鏡（図示せず）により一定方向に反射させられる。反射した光は、射出窓７３を通って、図示しない集光レンズや光誘導装置によってスコープ１０の先端部分に供給される。供給された光によって暗い体腔内の被写体を明るい光量下で観察することが可能になる。
【００２２】
イグナイタ５０は、ランプ電源４０ａとランプハウス６０にある第１、第２ヒートシンク６１、６２との間に接続される高電圧パルスの発生装置である。ランプ電源４０ａとの接続は、高圧ケーブル５５、５６を介して行われる。第１、第２ヒートシンク６１、６２との間は、第１、第２コネクタ６３、６４を介して行われる。従って、イグナイタ５０は、第１、第２コネクタ６３、６４が挿入可能な陽極部５３、陰極部５４を有する。
【００２３】
ランプハウス６０は、放電ランプ７０の放熱及び所定位置に支持する筐体であり、支持基板６５、第１、第２ヒートシンク６１、６２、第１、第２コネクタ６３、６４から構成される。本実施形態における放電ランプ支持装置は、イグナイタ５０とランプハウス６０から構成される。
【００２４】
支持基板６５は、ベーク板などの絶縁材料からなり、第１、第２ヒートシンク６１、６２の周りを囲む。但し、放電ランプ７０の光軸と平行する側面は、放電ランプ７０の冷却のため支持基板６５は囲まれていない。また、第１、第２穴６７、６８が上面に設けられており、第１、第２コネクタ６３、６４が貫通される。また、放電ランプ７０の射出窓７３から延びる光束７９と交差する部分は、光をスコープ１０に誘導するための第３穴６９が設けられている。
【００２５】
第１、第２ヒートシンク６１、６２は、放電ランプ７０の陽極部７１、陰極部７２と接触することにより、放電ランプ７０の点灯による熱を放射する金属部材である。放熱性を高めるため、第１、第２ヒートシンク６１、６２は、多数の放熱フィンを有する。第１、第２ヒートシンク６１、６２は、それぞれ支持基板６５に固着される第１、第２固定部６１ａ、６２ａと、それぞれ支持基板６５から取り外し可能な第１、第２取り外し部６１ｂ、６２ｂから構成される。
【００２６】
第１、第２固定部６１ａ、６２ａは、支持基板６５に貫通された第１、第２コネクタ６３、６４と固着され、イグナイタ５０からの高電圧パルスの印加を受ける。放電ランプ使用時には、第１、第２取り外し部６１ｂ、６２ｂは、それぞれ第１、第２固定部６１ａ、６２ａと隣接され電気的に導通される。また、支持基板６５にも固着される。放熱ランプ７０の交換時などは、隣接状態が解除されて、支持基板６５から取り外される。第１取り外し部６１ｂは、放電ランプ７０の陽極部７１と接触することにより電気的に導通され、第２取り外し部６２ｂは、放電ランプ７０の陰極部７２と接触することにより電気的に導通される。
【００２７】
また、放電ランプ７０から照射される光束７９が水平になるように支持し、光束７９を所望の方向に定めるため、第１取り外し部６１ｂは、くぼみ形状の第１支持部６１ｂｈで、放熱ランプ７０の陽極部７１を、第２取り外し部６２ｂは、穴形状の第２支持部６２ｂｈで、放熱ランプ７０の陰極部７２を支持する。第１、第２支持部６１ｂｈ、６２ｂｈの大きさは、放電ランプ７０と接触面積を多くして支持するために、陽極部７１、陰極部７２それぞれの口金部の径と同程度に設定される。第２支持部６２ｂｈは、射出窓７３から照射される光を通す。
【００２８】
従って、支持基板６５は、第１、第２ヒートシンク６１、６２を、その間に、放熱ランプ７０を支持できるような間隔で固着する。
【００２９】
第１コネクタ６３は、イグナイタ５０の陽極部５３と第１ヒートシンク６１と導電し固着される。第２コネクタ６４は、イグナイタ５０の陰極部５４と第２ヒートシンク６２と導電し固着される。第１、第２コネクタ６３、６４と、イグナイタ５０の陽極部５３、陰極部５４との間は、着脱可能に固着されていると、イグナイタ５０とランプハウス６０との間の取り付け及び取り外しが簡素化される。特に、イグナイタ５０がランプハウス６０の上面に載置されるように、第１、第２コネクタ６３、６４をそれぞれ、第１、第２ヒートシンク６１、６２の上面で固着すると、イグナイタ５０の設置が容易になる。
【００３０】
第１、第２コネクタ６３、６４の形状は、特に限定されないが、本実施形態では、円柱と円錐形状を組み合わせた形状とした。大きさについても特に限定はないが、イグナイタ５０や、第１、第２ヒートシンク６１、６２との接地面積が大きい方が、接触抵抗を低くすることができ、電圧降下が少ない。イグナイタ５０の陽極部５３、陰極部５４は、第１、第２コネクタ６３、６４の挿入部分と隙間無く係合される形状が望ましい。
【００３１】
放熱ランプ７０は、円筒形のキセノンランプ、またはハロゲンランプで、一端面を石英ガラスからなる射出窓７３としてその外周部に陰極部７２が設けられ、他端部の外周部及び端面に陽極部７１が設けられている。
【００３２】
本実施形態における放電ランプ支持装置であるイグナイタ５０とランプハウス６０の構成の場合、イグナイタ５０は、第１、第２コネクタ６３、６４を介して、ランプハウス６０の上方に載置される。従来、イグナイタ５０は、ランプハウス６０とランプ電源４０ａの間の空間に載置されているが、本実施形態では、ランプハウス６０の上面に載置されることにより、イグナイタ５０の空間分だけ、プロセッサ３０の底面積を減少させることが可能になる。
【００３３】
また、イグナイタ５０と第１、第２ヒートシンク６１、６２の間は、第１、第２コネクタ６３、６４によって電気的に導通されるので、従来のような高圧ケーブルを配線して電気的に導通させるよりも、距離が短くなる。従って、高圧ケーブルによってイグナイタ５０と第１、第２ヒートシンク６１、６２の間を導通する場合に比べて、輻射ノイズの発生、及び電圧降下を抑えることが可能になる。本実施形態では、通常に比べて、ランプ電源４０ａとイグナイタ５０を電気的に導通させる高圧ケーブルの長さが長くなることも考えられるが、そのことによる輻射ノイズ、及び電圧降下の発生よりも、イグナイタ５０と第１、第２ヒートシンク６１、６２の間で発生する輻射ノイズ、及び電圧降下の低減の効果の方が大きい。
【００３４】
なお、本実施形態は、内視鏡における光源装置として使われる放電ランプの支持装置を説明したが、使用用途はこれに限られない。イグナイタと放電ランプを使って光を照射する必要性のある光源装置、例えばプロジェクター装置などでも同様の効果を得られる。
【図面の簡単な説明】
【００３５】
【図１】本実施形態の内視鏡装置の構成図を示す図である。
【図２】図１におけるII−II線の縦断面図である。
【図３】図２におけるIII−III線のスコープからの縦断面図である。
【図４】図２におけるIV−IV線の上面からの横断面図である。
【符号の説明】
【００３６】
１０  スコープ
３０  プロセッサ
４０ａ  ランプ電源
４０ｂ  システム電源
５０  イグナイタ
６０  ランプハウス
６３、６４  第１、第２コネクタ
７０  放電ランプ
８０ａ  後処理回路
８０ｂ  信号処理回路
１００  モニタ
【図１】
2005235440.tif 000003
【図２】
2005235440.tif 000004
【図３】
2005235440.tif 000005
【図４】
2005235440.tif 000006